(57)【要約】【課題】歯科用ツールの延長部材を提供する。【解決手段】加工ヘッド部１１及びシャンク１２を有し、シャンク１２の一端は加工ヘッド部１１に連結されるツール本体１０と、ツール本体１０のシャンク１２に連結され、シャンク１２に沿って第一位置と第二位置との間で滑動される手持ち部２０と、ツール本体１０と手持ち部２０との間に設置され、手持ち部２０が前記第一位置と前記第二位置との間の任意の位置に固定される固定装置３０とを備える。【選択図】図２
0003209717.tif 000002
【実用新案登録請求の範囲】
【請求項１】
加工ヘッド部と、一端が前記加工ヘッド部に連結されるシャンクとを有するツール本体と、
前記シャンクに沿って第一位置と第二位置の間に滑動できるように、前記ツール本体のシャンクに連結される手持ち部と、
前記手持ち部を前記第一位置と前記第二位置の間における任意の位置に固定させるように、前記ツール本体と前記手持ち部の間に設置される固定装置とを備えることを特徴とする歯科用ツールの延長部材。
【請求項２】
前記固定装置は、締め付け固定部材及び締め付け変位部材を備えており、
前記締め付け固定部材は、前記ツール本体のシャンクに連結され、
前記締め付け変位部材は、前記手持ち部内に位置されかつ緩め位置と締め位置との間で移動でき、
前記締め付け変位部材が前記締め位置に向けて移動されるときには、該締め付け変位部材は、前記手持ち部を固定させるように、前記締め付け固定部材と前記手持ち部との間にある隙間に狭入され、
前記締め付け変位部材が前記緩め位置に向けて移動されるときには、該締め付け変位部材は、前記手持ち部が滑動可能になるように、前記締め付け固定部材と前記手持ち部との間にある隙間から離間されることを特徴とする、請求項１に記載の歯科用ツールの延長部材。
【請求項３】
前記締め付け固定部材は、ヘッド部及びネジ軸部を有し、
前記ネジ軸部は、その一部分を前記シャンクのネジ穴の外側の位置に保留させるように、該シャンクの前記ネジ穴に結合され、
前記締め付け変位部材は、前記締め付け固定部材の前記ネジ軸部に覆設されかつ前記ツール本体の前記シャンクと前記締め付け固定部材の前記ヘッド部との間に位置され、
前記締め付け変位部材と前記ネジ軸部が螺合された状態において、前記締め付け変位部材が回転されるときに、前記締め付け変位部材が前記緩め位置と前記締め位置との間で移動され、
前記締め付け変位部材が前記緩め位置に向けて移動されるときには、該締め付け変位部材は前記ヘッド部から離間する側に移動し、
前記締め付け変位部材が前記締め位置に向けて移動されるときには、該締め付け変位部材は前記ヘッド部側に移動することを特徴とする、請求項２に記載の歯科用ツールの延長部材。
【請求項４】
前記締め付け変位部材は、結合部及び複数の弾性締め付け部を有し、
前記締め付け固定部材の前記ネジ軸部と前記締め付け変位部材の前記結合部とが螺合された状態において、前記締め付け変位部材が前記締め位置側に移動されるときには、前記弾性締め付け部は前記ヘッド部に沿って外側に向けて広げられ、前記締め付け変位部材が前記緩め位置側に移動されるときには、前記弾性締め付け部は前記ヘッド部から離間されて内側に向けて縮小されることを特徴とする、請求項３に記載の歯科用ツールの延長部材。
【請求項５】
前記締め付け変位部材が前記手持ち部に接触している場合には、前記手持ち部が回転されるときに、前記締め付け変位部材が同時に連動されて、該締め付け変位部材が前記緩め位置側または前記締め位置側に移動することを特徴とする、請求項２に記載の歯科用ツールの延長部材。
【請求項６】
前記ヘッド部は、工具との結合により、前記ネジ軸部を前記ネジ穴に螺入させるための凹部を有することを特徴とする、請求項３に記載の歯科用ツールの延長部材。
【請求項７】
前記ヘッド部は水滴状をなしており、
前記ネジ軸部は、前記ヘッド部の細い側の端に連結されることを特徴とする、請求項３に記載の歯科用ツールの延長部材。
【請求項８】
前記手持ち部はストッパー部を有し、
前記ツール本体は、前記加工ヘッド部及び前記シャンクの交接箇所に当接部を有し、
前記手持ち部が前記第一位置まで滑動されるときには、前記当接部が前記ストッパー部に当接して前記手持ち部が滑動を続けられなくなり、
前記手持ち部が前記第二位置まで滑動されるときには、前記固定装置が前記ストッパー部に当接して前記手持ち部が滑動を続けられなくなることを特徴とする、請求項１に記載の歯科用ツールの延長部材。
【考案の詳細な説明】
【技術分野】
【０００１】
本考案は、医療用品に関し、更に詳しくは、歯科用ツールの延長部材に関する。
【背景技術】
【０００２】
歯科治療分野において、歯科医師は所定の治療を行う際に、患者の口腔中に入れる各種類のツールを使用することが一般的である。例えば、図１を示すように、従来の歯科用ツール５０の多くは、加工ヘッド部５１とシャンク５２とを有するものである。治療をする場合、歯科医師は前記歯科用ツール５０のシャンク５２を手で持って、前記加工ヘッド部５１を患者の口腔中に入れながら治療を行うことができる。
【０００３】
従来の歯科用ツールは一定の長さを有するものである。この従来の歯科用ツールを操作して前側の歯（例えば、前歯）の治療を行う場合には、その操作に大きな妨害が引き起こす問題がないと考えられるが、前記従来の歯科用ツールを操作して後側の歯（例えば、臼歯）を治療する場合には、当該歯の治療ができなくなってしまうという重大な問題が引き起こされることある。
【考案の概要】
【考案が解決しようとする課題】
【０００４】
例えば、後側の歯（例えば、臼歯）を治療する場合は、歯科用ツールを口腔の深くまで進入させなければならないため、加工ヘッド部の一部分が口腔内に入ってしまうことがある。
【０００５】
また、後側の歯を治療する際に、歯科用ツールを握る歯科医師の手が患者の口腔に非常に接近するか接触することにより、患者の口が病原菌の感染を引き起こす可能性があるほか、治療の進行に悪影響が及んだり、治療が困難になったり、ひいては、治療が失敗するとなってしまう最悪の可能性もある。
【０００６】
そこで、本考案者は前記の欠点が改善可能と考え、鋭意検討を重ねた結果、合理的設計で前記の課題を効果的に改善する本考案の提案に到った。
【０００７】
本考案は、前記の従来技術の課題を解決できる、歯科用ツールの延長部材を提供することを主目的とする。
【課題を解決するための手段】
【０００８】
本考案によれば、ツールの長さを治療作業の必要に合わせて延長または短縮することが可能になるので、歯科医師が治療操作を一層行いやすくなっている。
【０００９】
すなわち、本考案に係る歯科用ツールの延長部材は、加工ヘッド部及び一端が前記加工ヘッド部に連結されるシャンクを有するツール本体と、前記ツール本体のシャンクに連結される、第一位置と第二位置の間に前記シャンクに沿って滑動する手持ち部と、前記ツール本体と前記手持ち部と間に設置される、前記手持ち部を前記第一位置と前記第二位置の間にある任意の位置に固定させる固定装置とを備えることを特徴とする。
【００１０】
本考案の好ましい実施態様に係る歯科用ツールの延長部材において、前記固定装置は、締め付け固定部材及び締め付け変位部材を備えており、前記締め付け固定部材は、前記ツール本体のシャンクに連結されており、前記締め付け変位部材は、前記手持ち部内に位置されかつ緩め位置と締め位置との間で移動することができる。前記締め付け変位部材が前記締め位置に向けて移動されるときには、前記手持ち部は、前記締め付け変位部材が締め付け固定部材と前記手持ち部の間の隙間に狭入されることにより固定される。前記締め付け変位部材が前記緩め位置に向けて移動されるときには、前記締め付け変位部材が締め付け固定部材と前記手持ち部の間の隙間から離間されるため、前記手持ち部は滑動することが可能になる。
【００１１】
本考案の別の好ましい実施態様に係る歯科用ツールの延長部材において、前記締め付け固定部材は、ヘッド部及びネジ軸部を有する。前記ネジ軸部は、その一部分が前記シャンクのネジ穴の外側の位置に保留されるように、該シャンクのネジ穴に結合される。前記締め付け変位部材は、前記締め付け固定部材のネジ軸部に覆設されかつ前記ツール本体のシャンクと前記締め付け固定部材のヘッド部との間に位置される。前記締め付け変位部材は前記ネジ軸部に螺合される。前記締め付け変位部材が前記ネジ軸部に螺合された状態において、前記締め付け変位部材が回転されるときに、前記締め付け変位部材は前記緩め位置と前記締め位置の間で移動することが可能になる。前記締め付け変位部材が前記緩め位置に向けて移動されるときには、該締め付け変位部材は前記ヘッド部から離間する側に移動する。前記締め付け変位部材が前記締め位置に向けて移動されるときには、該締め付け変位部材は前記ヘッド部側に移動する。
【００１２】
本考案の他の好ましい実施態様に係る歯科用ツールの延長部材において、前記締め付け変位部材は、結合部及び複数の弾性締め付け部を有する。前記締め付け固定部材のネジ軸部は、前記締め付け変位部材の結合部に螺合される。前記締め付け固定部材のネジ軸部が、前記締め付け変位部材の結合部に螺合された状態において、該締め付け変位部材が前記締め位置側に移動されるときには、前記弾性締め付け部は前記ヘッド部に沿って外側に向けて徐々に広げられ、前記締め付け変位部材が前記緩め位置側に移動されるときには、前記弾性締め付け部は前記ヘッド部から徐々に離間されて内側に向けて徐々に縮小される。
【００１３】
本考案の更なる好ましい実施態様に係る歯科用ツールの延長部材において、前記締め付け変位部材が前記手持ち部に接触している場合には、前記手持ち部が回転されるときに、前記締め付け変位部材が同時に連動されて、該締め付け変位部材が前記緩め位置側または前記締め位置側に移動することができる。
【００１４】
本考案の他の好ましい実施態様に係る前記歯科用ツールの延長部材において、前記ヘッド部は、工具との結合により、前記ネジ軸部を前記ネジ穴に螺入させるための凹部を有する。
【００１５】
本考案の別の好ましい実施態様に係る歯科用ツールの延長部材において、前記ヘッド部は水滴状をなしており、前記ネジ軸部は前記ヘッド部の細い側の端に連結される。
【００１６】
本考案の好ましい実施態様に係る歯科用ツールの延長部材において、前記手持ち部はストッパー部を有し、前記ツール本体は、前記加工ヘッド部及び前記シャンクの交接箇所に当接部を有し、前記手持ち部が前記第一位置まで滑動されるときには、前記当接部が前記ストッパー部に当接して前記手持ち部が滑動を続けられなくなり、前記手持ち部が前記第二位置まで滑動されるときには、前記固定装置が前記ストッパー部に当接して前記手持ち部が滑動を続けられなくなる。
【考案の効果】
【００１７】
本考案によれば、歯科医師が自分でツールの長さを調整することができ、且つ前記ツールの長さを簡単に固定することができるため、治療を行う操作には有利である。
【図面の簡単な説明】
【００１８】
【図１】従来の歯科用ツールの操作を示す概略図である。
【図２】本考案の一実施形態に係る歯科用ツールの延長部材を示す展開図である。
【図３】本考案の一実施形態に係る歯科用ツールの延長部材を示す外観斜視図である。
【図４】本考案の一実施形態に係る歯科用ツールの延長部材の短縮状態を示す断面図である。
【図５】本考案の一実施形態に係る歯科用ツールの延長部材の伸長状態を示す断面図である。
【図６】本考案の一実施形態に係る歯科用ツールの延長部材の操作を示す概略図である。
【考案を実施するための形態】
【００１９】
以下、添付図面を参照しながら、本考案における好適な実施の形態について説明する。尚、以下に説明する実施の形態は、実用新案登録請求の範囲に記載された本考案の内容を限定するものではない。また、以下に説明される構成の全ては、本考案の必須要件であると理解するものではない。
【００２０】
まず、本考案の実施形態について、図２及び図５を参照しながら説明する。本考案に係る歯科用ツールの延長部材は、ツール本体１０と、手持ち部２０と、固定装置３０とを備える。ツール本体１０は加工ヘッド部１１及びシャンク１２を有する。本実施形態において、加工ヘッド部１１はトルクレンチヘッド部であり、孔部１３を有し、ポストコア（図示省略）との包接により締め動作または緩め動作をすることができる。シャンク１２は長形円柱体をなし、その一端は加工ヘッド部１１に連結され、他端の端面にはネジ穴１４が設けられる。ちなみに、本考案の延長部材に使える例として、図中には歯科用トルクレンチを示すが、他の歯科用ツールでも本考案に係る伸長構造に使用されることができる。
【００２１】
前記手持ち部２０はチューブ体であり、中央部には軸穴２１を有し、ツール本体１０のシャンク１２に包接され、シャンク１２に沿って第一位置と一第二位置との間で滑動される。手持ち部２０が前記第一位置まで滑動されたときには、手持ち部２０が加工ヘッド部１１に最接近される位置に位置され、このとき、前記歯科用ツールは最短の長さを有する。手持ち部２０が前記第二位置まで滑動されたときには、手持ち部２０が加工ヘッド部１１から最も離間される位置に位置され、このとき、前記歯科用ツールは最長の長さを有する。
【００２２】
前記固定装置３０は、ツール本体１０と手持ち部２０との間に設置され、該手持ち部２０を前記第一位置と前記第二位置との間にある任意の位置に固定させる。固定装置３０は、締め付け固定部材３１及び締め付け変位部材３２を備える。締め付け固定部材３１は、水滴状をなすヘッド部３１１及び該ヘッド部３１１の細い側の端に連結されるネジ軸部３１２を有する。ネジ軸部３１２は、シャンク１２のネジ穴１４に螺入されかつその一部分がネジ穴１４の外側に位置されるように保留される。ヘッド部３１１の太い側の端は、ドライバーとの結合により、締め付け固定部材３１のネジ軸部３１２をネジ穴１４に螺入させる凹部３１３を有している。締め付け変位部材３２の中央部には、孔部３２１を有するとともに、結合部３２２及び２つの弾性締め付け部３２３が形成されている。締め付け変位部材３２は、締め付け固定部材３１のネジ軸部３１２に覆設されかつツール本体１０のシャンク１２と締め付け固定部材３１のヘッド部３１１との間に位置される。締め付け固定部材３１のネジ軸部３１２は、締め付け変位部材３２の結合部３２２に螺合される。締め付け固定部材３１のネジ軸部３１２が締め付け変位部材３２の結合部３２２に螺合された状態において、締め付け変位部材３２が回転されるときに、締め付け変位部材３２が緩め位置と締め位置との間で移動する。締め付け変位部材３２が前記緩め位置に向けて移動されるときには、締め付け変位部材３２の弾性締め付け部３２３はヘッド部３１１から離間する側に移動する。締め付け変位部材３２が前記締め位置に向けて移動されるときには、締め付け変位部材３２の弾性締め付け部３２３がヘッド部３１１側に移動する。締め付け変位部材３２が前記締め位置側に移動されるときには、これら弾性締め付け部３２３はヘッド部３１１に沿って外側に向けて徐々に広げられる。締め付け変位部材３２が前記緩め位置側に移動されるときには、これらの弾性締め付け部３２３はヘッド部３１１から徐々に離開されることにより徐々に内側に向けて縮小される。
【００２３】
前記締め付け変位部材３２は、手持ち部２０内に位置されかつ該手持ち部２０にやや接触され、手持ち部２０が回転されたときには、締め付け変位部材３２は、同時に連動されて、前記緩め位置側または前記締め位置側に移動する。
【００２４】
手持ち部２０が回転されて、締め付け変位部材３２が前記締め位置側に移動されるときには、２つの弾性締め付け部３２３が、ヘッド部３１１に沿って外側に向けて徐々に広げられ、ヘッド部３１１と手持ち部２０との間の隙間に狭入されて、最終的にきつく締められる状態になり、手持ち部２０が回転も滑動もできなくなる。手持ち部２０が前述とは反対側に回転されて、締め付け変位部材３２が前記緩め位置側に移動されるときには、２つの弾性締め付け部３２３が、ヘッド部３１１から徐々に離開されることで内側に向けて徐々に縮小され、手持ち部２０が自由に滑動できるようになる。
【００２５】
これにより、歯科医師は、先ず手持ち部２０を回転させて締め付け変位部材３２を前記緩め位置側に移動させ、その後に手持ち部２０を所定の位置まで滑動させ、前記歯科用ツールを適度な長さにする。この後、手持ち部２０が前述とは反対側に回転されたときには、締め付け変位部材３２が前記締め位置側に移動され、該締め付け変位部材３２が前記締め位置まで移動されて、手持ち部２０が回転できなくなったときには、手持ち部２０が前記締め位置に堅固に固定され、歯科医師が治療を行いやすくなる。歯科医師は手持ち部２０を最長の長さになるように滑動させ、後ろの歯の治療を行いやすくする（図６参照）。
【００２６】
また、手持ち部２０は、ストッパー部２２を有し、ツール本体１０は、加工ヘッド部１１及びシャンク１２の交接箇所に当接部１５を有する。手持ち部２０が前記第一位置まで滑動されたときには、当接部１５がストッパー部２２に当接して、手持ち部２０は滑動を続けられなくなる（図４参照）。手持ち部２０が前記第二位置まで滑動されたときには、締め付け変位部材３２がストッパー部２２に当接して、手持ち部２０は滑動を続けられなくなる（図５参照）。
【００２７】
結論として、本考案に係る歯科用ツールの延長部材によれば、歯科医師が自分でツールの長さを調整することが可能になる。伸長される場合には、構造のアームが長くなり、省力及び患者の口腔内部に深く進入できる効果を達成させる上、治療が行いやすくなる。また、短縮される場合には、使用者が収納及び消毒をしやすくなる。本考案に係る歯科用ツールの延長部材は、構造が簡単であり、堅牢性が高くなるため、商業的な競争力を有する。
【００２８】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものである。
【符号の説明】
【００２９】
１０  ツール本体
１１  加工ヘッド部
１２  シャンク
１３  孔部
１４  ネジ穴
１５  当接部
２０  手持ち部
２１  軸穴
３０  固定装置
３１  締め付け固定部材
３１１  ヘッド部
３１２  ネジ軸部
３１３  凹部
３２  締め付け変位部材
３２１  孔部
３２２  結合部
３２３  弾性締め付け部
【図１】
0003209717.tif 000003
【図２】
0003209717.tif 000004
【図３】
0003209717.tif 000005
【図４】
0003209717.tif 000006
【図５】
0003209717.tif 000007
【図６】
0003209717.tif 000008